(57)【特許請求の範囲】
【請求項１】
脚に支持されるベース部材に背フレームを介して背もたれを取り付ける椅子の背もたれ取付構造において、前記背フレームに立ち上がり部を設けると共に、前記背もたれの底面に前記立ち上がり部を収容する凹部を設け、前記立ち上がり部を前記凹部内に収容して内壁前面に固定すると共に、前記背フレームの前記立ち上がり部を前記背もたれの前記凹部に収容することで前記背もたれ自体によって前記背フレームの立ち上がり部を隠し、前記背もたれの下部の前面には前方に突出する庇部が設けられていることを特徴とする椅子の背もたれ取付構造。
【請求項２】
前記立ち上がり部は前記庇部の下方で前記内壁前面に前記背もたれの前面からねじ止めされていることを特徴とする請求項１記載の椅子の背もたれ取付構造。
【請求項３】
前記背フレームは、前記ベース部材に取り付けられる受け部と該受け部に対して直角に折り曲げられた立ち上がり部とを備える縦断面形状Ｌ字形を成す板材であり、前記立ち上がり部は板状の前記背フレームの後部が上方に折り曲げられたものであることを特徴とする請求項１又は２記載の椅子の背もたれ取付構造。
【請求項４】
前記背フレームと前記凹部との組み合わせは、椅子の幅方向中央に１組設けられていることを特徴とする請求項１から３のいずれか１つに記載の椅子の背もたれ取付構造。
【請求項５】
前記背フレームの前記立ち上がり部よりも前の位置には受け部が設けられていると共に、前記背もたれの前面には前記受け部に載せられて固定される突っ張り部が設けられていることを特徴とする請求項１から４のいずれか１つに記載の椅子の背もたれ取付構造。
【請求項６】
前記背もたれの後面の少なくとも前記凹部に対応する位置には、下に向けて後方に広がるスカート部が設けられていることを特徴とする請求項１から５のいずれか１つに記載の椅子の背もたれ取付構造。
【請求項７】
前記庇部の下側には前記背もたれの張り地の取付部が設けられていることを特徴とする請求項１から６のいずれか１つに記載の椅子の背もたれ取付構造。
【請求項８】
前記背もたれを後ろに倒した場合に座と当該背もたれとの間の距離が増加する椅子に設けられていることを特徴とする請求項１から７のいずれか１つに記載の椅子の背もたれ取付構造。
【発明の詳細な説明】
【技術分野】
【０００１】
本発明は椅子の背もたれ取付構造に関する。さらに詳しくは、本発明は、脚に支持されるベース部材に背フレームを介して背もたれを取り付ける椅子の背もたれ取付構造に関するものである。
【背景技術】
【０００２】
事務用の椅子として、例えば図６及び図７に示すように、脚１０１に支持されたベース部材１０２に背フレーム１０３を介して背もたれ１０４を取り付けるものがある（例えば、特許文献１）。このタイプの椅子では、外観の劣る例えばスチール製の背フレーム１０３を採用した場合には背フレーム１０３の目立つ部分をカバー１０５，１０６で覆い、背フレーム１０３を目立たなくして椅子全体の外観を良くしている。図６及び図７の例では、背フレーム１０３の目立つ部分を前後から挟むようにしてカバー１０５，１０６で隠している。
【先行技術文献】
【特許文献】
【０００３】
【特許文献１】特開２００６−１９８０６３号公報
【発明の概要】
【発明が解決しようとする課題】
【０００４】
しかしながら、上記の椅子では、背フレーム１０３を隠すためのカバー１０５，１０６が必要であり、その分だけ部品点数が多くなって製造コストが増加すると共に、重量が増加する。
【０００５】
一方、カバー１０５，１０６を不要にするために、背フレーム１０３を外観に優れた例えばアルミダイキャスト製のものにすることも考えられるが、その場合には背フレーム１０３が高価なものとなり、やはり椅子の製造コストを増加させてしまう。
【０００６】
本発明は製造コストを増加させることなく椅子の外観を良くすることができる椅子の背もたれ取付構造を提供することを目的とする。
【課題を解決するための手段】
【０００７】
かかる目的を達成するために、請求項１記載の発明は、脚に支持されるベース部材に背フレームを介して背もたれを取り付ける椅子の背もたれ取付構造において、背フレームに立ち上がり部を設けると共に、背もたれの底面に立ち上がり部を収容する凹部を設け、立ち上がり部を凹部内に収容して内壁前面に固定すると共に、背フレームの立ち上がり部を背もたれの凹部に収容することで背もたれ自体によって背フレームの立ち上がり部を隠し、背もたれの下部の前面には前方に突出する庇部が設けられている。
【０００８】
また、請求項２記載の椅子の背もたれ取付構造は、立ち上がり部が庇部の下方で内壁前面に背もたれの前面からねじ止めされている。
【０００９】
また、請求項３記載の椅子の背もたれ取付構造は、背フレームは、ベース部材に取り付けられる受け部と該受け部に対して直角に折り曲げられた立ち上がり部とを備える縦断面形状Ｌ字形を成す板材であり、立ち上がり部は板状の背フレームの後部が上方に折り曲げられたものである。
【００１０】
また、請求項４記載の椅子の背もたれ取付構造は、背フレームと凹部との組み合わせが椅子の幅方向中央に１組設けられている。
【００１１】
また、請求項５記載の椅子の背もたれ取付構造は、背フレームの立ち上がり部よりも前の位置には受け部が設けられていると共に、背もたれの前面には受け部に載せられて固定される突っ張り部が設けられている。
【００１２】
また、請求項６記載の椅子の背もたれ取付構造は、背もたれの後面の少なくとも凹部に対応する位置には、下に向けて後方に広がるスカート部が設けられている。
【００１３】
また、請求項７記載の椅子の背もたれ取付構造は、庇部の下側には背もたれの張り地の取付部が設けられている。
【００１４】
さらに、請求項８記載の椅子の背もたれ取付構造は、背もたれを後ろに倒した場合に座と当該背もたれとの間の距離が増加する椅子に設けられている。
【発明の効果】
【００１５】
請求項１記載の椅子の背もたれ取付構造では、座の陰に隠すことができない背フレームの立ち上がり部を背もたれ内部に収容する事で背もたれ自体によって隠すことができるので、別部品のカバーを使用せずに背フレームの外観に表れ視認可能な部分を隠すことができる。また、背フレームの外観に表れ視認可能な部分を隠すことができるので、背フレームとして安価なものの使用が可能になる。これらの結果、製造コストを増加させることなく椅子の外観を良くすることができる。さらに、カバーを必要としないので、その分だけ椅子を軽量化することができる。また、背フレームを積極的に見せるものとする場合には背フレームを目立たせるために総じて大きなものとなってしまうのに対し、本発明では背フレームを積極的に見せるようにしないので、背フレームとして小型のものを使用することが可能であり、椅子が重量化するのを防止することができる。
【００１６】
また、請求項２記載の椅子の背もたれ取付構造では、立ち上がり部が庇部の下方で内壁前面に背もたれの前面からねじ止めされているので、背フレームの固定に使用するねじを目立たなくすることができ、椅子の外観をより一層良くすることができる。
【００１７】
また、請求項３記載の椅子の背もたれ取付構造では、立ち上がり部が板状の背フレームの後部を上方に折り曲げて形成されているので、背フレームの最も後ろの部分が背もたれによって隠される。そのため、背フレームが椅子の外観により現れ難くなり、椅子の外観をより一層良くすることができる。
【００１８】
また、請求項４記載の椅子の背もたれ取付構造では、背フレームと凹部との組み合わせが椅子の幅方向中央に１組設けられているので、背フレームが椅子の外観により現れ難くなり、椅子の外観をより一層良くすることができる。
【００１９】
また、請求項５記載の椅子の背もたれ取付構造では、背フレームの立ち上がり部よりも前の位置に受け部が設けられていると共に、背もたれの前面に受け部に載せられて固定される突っ張り部が設けられているので、背もたれが前後に傾こうとする力を突っ張り部から受け部に伝えて支持することができ、背もたれの取付剛性をより大きくすることができる。また、背フレームの背もたれと座の間から見えやすい部分を突っ張り部で隠すことができ、椅子の外観をより一層良くすることができる。
【００２０】
また、請求項６記載の椅子の背もたれ取付構造では、背もたれの後面の少なくとも凹部に対応する位置に下に向けて後方に広がるスカート部が設けられているので、スカート部の陰に背フレームを隠すことができ、背フレームが椅子の外観により現れ難くなり、椅子の外観をより一層よくすることができる。
【００２１】
また、請求項７記載の椅子の背もたれ取付構造では、庇部の下側には背もたれの張り地の取付部が設けられているので、庇部を利用して背もたれの張り地の下端縁を取り付けることができ、しかもその取り付け部分を隠すこともできる。
【００２２】
さらに、請求項８記載の椅子の背もたれ取付構造のように、背もたれを後ろに倒した場合に座との間の距離が増加する椅子に設けるようにしても良い。
【図面の簡単な説明】
【００２３】
【図１】本発明の椅子の背もたれ取付構造の実施形態の一例を示す断面図である。
【図２】同椅子の背もたれ取付構造を示す分解斜視図である。
【図３】背もたれの底部を拡大して示す斜視図である。
【図４】同椅子の背もたれ取付構造を採用した椅子を示す側面図である。
【図５】背もたれと座との間の様子を示す斜視図である。
【図６】従来の椅子の背もたれ取付構造を採用した椅子の側面図である。
【図７】従来の椅子の背もたれ取付構造を示す断面図である。
【発明を実施するための形態】
【００２４】
以下、本発明の構成を図面に示す形態に基づいて詳細に説明する。
【００２５】
図１〜図５に、本発明の椅子の背もたれ取付構造の実施形態の一例を示す。なお、図では背もたれの張り地の記載を省略している。この椅子の背もたれ取付構造は、背フレーム１に背もたれ２を取り付けて支持する椅子の背もたれ取付構造であって、背フレーム１に立ち上がり部１ａを設けると共に、背もたれ２の底部２ａに立ち上がり部１ａを収容する凹部３を設け、立ち上がり部１ａを凹部３内に収容して内壁前面３ａに固定すると共に、背もたれ２の下部の前面には前方に突出する庇部２ｂが設けられている。
【００２６】
本発明は、背もたれ２を後ろに倒した場合に座４との間の距離が増加する椅子への適用が好ましい。特に、このような椅子では、背もたれ２と座４との間の距離が増加した場合に両者の間から背フレーム１が見えやすくなるので、背フレーム１を見え難くすることができる本発明は有効である。ただし、背もたれ２を後ろに倒しても座４との距離が増加しない椅子に適用しても良いことは勿論である。また、本実施形態では事務用の椅子に適用しているが、事務用椅子には限られない。
【００２７】
本実施形態では、背もたれ２を後ろに倒した場合に座４との間の距離が増加する椅子として、背もたれ２を後ろに倒すと座４が持ち上げられて着座者の体重が背もたれ２を起こす方向に作用するいわゆる体重感知式の椅子に適用している。体重感知式の椅子は着座者が背もたれ２に凭り掛かって背もたれ２が後方に倒れると、座４と背もたれ２の間の隙間が広がり、この隙間から背フレーム１が見えやすくなる。本発明は、このような椅子への適用が特に有効である点は上述の通りである。ただし、体重感知式の椅子への適用に限られないことは勿論である。
【００２８】
即ち、体重感知式の椅子では、着座者が背もたれ２に凭れかかって背もたれ２が後方に倒れると、座４は着座者の体重を持ち上げて上昇する。背もたれ２は後下方に傾くのに対して座４は上昇し上方向へ移動するという異なる方向への動きをする事で座４と背もたれ２の間の隙間が広がる事になり、この隙間から背フレーム１が見えやすくなる。対して、いわゆるシンクロロッキング機構の椅子は、背もたれの後下方への傾斜に伴って座も背もたれに引っ張られる形で後下方に傾斜する。この場合には、異なる方向への動きではない為、座と背もたれの間の隙間が大きく広がる事はない。本発明は、体重感知式の椅子のように座４と背もたれ２との間の隙間が広がる椅子への適用が特に有効である。ただし、シンクロロッキング機構の椅子でも座４とせもたれ２との間に隙間は存在する為、シンクロロッキング機構の椅子であっても適用できる事はもちろんである。
【００２９】
背フレーム１は、背もたれ２を支持するもので、脚５に支持されたベース部材６の背フレーム支持部６ａに取り付けられている。本実施形態の背フレーム１は板状のもので、その後部がほほ直角に折り曲げられており、この部分が立ち上がり部１ａになっている。即ち、立ち上がり部１ａは板状の背フレーム１の後部を上方に折り曲げて形成されており、背フレーム１はその縦断面形状がほぼＬ字型を成している。また、立ち上がり部１ａよりも前の位置は受け部１ｂとなっている。
【００３０】
背フレーム１として、安価なものの採用が可能である。即ち、背フレーム１は椅子の外観に現れ難いので、例えばアルミダイキャスト製のフレームのように外観に優れているが製造コストが高くなるものを採用する必要は無く、剛性を確保できれば外観の劣る安価なものの採用が可能である。本実施形態では、スチール製の板材をプレス加工した背フレーム１を採用している。ただし、スチール製の背フレーム１に限られず、例えば高価な背フレーム１であっても椅子の外観に現れ難くしたい場合等には本発明は有効である。
【００３１】
本実施形態の背もたれ２は、背枠７に張り地（図示省略）をテンションを掛けた状態で張り渡した構成である。背枠７は左右の枠７ａ，７ｂと上下の枠７ｃ，７ｄが樹脂によって一体成形されている。張り地は例えばメッシュ地であり、着座者の背中を弾性をもって支持する。
【００３２】
凹部３は背枠７の底面に設けられている。凹部３は背フレーム１の立ち上がり部１ａを収納可能な大きさに形成されている。本実施形態では凹部３を軽量化のための肉抜き部と兼用しており、隣の肉抜き部とリブで仕切られている。ただし、必ずしも凹部３を肉抜き部と兼用する必要はなく、例えば、板状の立ち上がり部１ａを挿入可能なスリットや溝を凹部３にしても良い。
【００３３】
背フレーム１の立ち上がり部１ａは凹部３内に挿入され、凹部３の内壁前面３ａに背もたれ２の前面からねじ止めされている。そのため、背フレーム１の固定に使用するねじ止めの結合手段８を座４と背もたれ２との間に配置させて目立たなくすることができ、椅子の外観をより一層良くすることができる。本実施形態では、ねじ止めに使用するねじが切られた結合手段８として、ボルトを使用しているがこれには限られず、例えばねじを使用しても良い。結合手段８としてのボルトは立ち上がり部１ａに設けられたねじ孔９にねじ込まれている。結合手段８の先端は凹部３内にとどまっており、椅子の外観に現れない。
【００３４】
庇部２ｂは下枠７ｄの前面に設けられている。本実施形態では立ち上がり部１ａを下枠７ｄの前面にねじ止めしているので、ねじ止め部分を見難くする為にねじ止め部分よりも高い位置に庇部２ｂが設けられている。本実施形態では凹部３に対応する位置よりも高い位置に庇部２ｂが設けられている。ただし、立ち上がり部１ａを下枠７ｄの前面にねじ止めしない場合には、庇部２ｂの高さは上述のものに限られない。また、庇部２ｂは少なくとも背フレーム１に対応する範囲で設けられていれば良いが、背フレーム１をより見難くできると共に、背枠７の剛性をより向上させることができることから、凹部３に対応する範囲よりも広い範囲に庇部２ｂを設けることが好ましい。本実施形態では、下枠７ｄの両端近傍にまで庇部２ｂが設けられており、庇部２ｂの両端は左右の枠７ａ，７ｂにそって上昇している。
【００３５】
本実施形態では、庇部２ｂの下側に背もたれ２の張り地の取付部１０が設けられている。本実施形態では、取付部１０として張り地の縁を挿入可能な溝を設けている。張り地の縁には例えば樹脂で作られたコードが縫製されており、張り地のコード部分の内側を折り返してコード部分を取付部１０としての溝に挿入することで張り地がテンションを掛けた状態で張り渡される。本実施形態では、椅子の幅方向の中央と左右両側の合計３カ所に取付部１０を設けているが、これには限られない。また、取付部１０は溝に限られず、例えば張り地を引っ掛けて止める引っ掛け部等でも良い。なお、本実施形態では、取付部１０となる溝の前後に壁板を設けることで溝を形成しているので、溝の前後の壁板を下枠７ｄの剛性を向上させるリブとしても機能させることができる。庇部２ｂの下側に取付部１０を設けることで、庇部２ｂを利用して張り地の下端縁を取り付けることができ、取り付けの為の手段をわざわざ別に設ける必要がなくなる。また、庇部２ｂを利用して張り地の取り付け部分を隠すことができ、椅子の外観をより良くすることができる。さらに、庇部２ｂによって張り地を座４側に寄せることができ、座４と背もたれ２との間の隙間を狭くして背フレーム１が椅子の外観により現れ難くすることができる。
【００３６】
本実施形態では、庇部２ｂの下側にリブ１１が設けられている。本実施形態では左右の取付部１０の裏側にリブ１１が４本ずつ設けられている。ただし、リブ１１を設ける位置や数はこれらに限られない。リブ１１を設けることで下枠７ｄの剛性を大きくすることができ、座り心地を向上させることができる。また、庇部２ｂ及び取付部１０を利用してリブ１１を見え難くすることができる。
【００３７】
本実施形態では、背もたれ２の前面には突っ張り部１２が設けられている。突っ張り部１２は例えば前方に向けて突出する板状体で、例えば下枠７ｄに一体成形されているが、これに限られない。突っ張り部１２は背フレーム１の受け部１ｂに載せられて例えばボルト等の結合手段１３によって固定されている。結合手段１３としてのボルトは受け部１ｂに設けられたねじ孔１４にねじ込まれる。ただし、結合手段１３としてはボルトに限られず、例えばねじ等を使用しても良い。突っ張り部１２は背フレーム１の受け部１ｂよりも幅が広くなっており、背フレーム１の背もたれ２と座４の間から見えやすい部分を覆って隠している。そのため、背フレーム１が椅子の外観により現れ難くすることができる。また、背もたれ２が前後に傾こうとする力を突っ張り部１２から受け部１ｂに伝えて支持することができ、背もたれ２の取付剛性をより大きくすることができる。
【００３８】
背もたれ２の後面の少なくとも凹部３に対応する位置には、下に向けて後方に広がるスカート部１５が設けられている。本実施形態では、下枠７ｄの後面を全体的に後方に向けて傾斜させることで椅子の幅方向に亘るスカート部１５を形成している。スカート部１５を形成することで、その陰に背フレーム１を隠すことができ、背フレーム１が後方から見え難くなり、椅子の外観をより一層よくすることができる。ただし、スカート部１５を設けなくても背フレーム１が見え難い等の場合には、スカート部１５を設けなくても良い。
【００３９】
本実施形態では、背フレーム１と凹部３との組み合わせは、椅子の幅方向中央に１組設けられている。即ち、背もたれ２は中央の１枚の大きな背フレーム１によって支持されている。背フレーム１を椅子の幅方向中央に設けることで、背フレーム１が椅子の外観により現れ難くなり、椅子の外観をより一層良くすることができる。ただし、必ずしもこの構成に限られず、例えば椅子の左右に背フレーム１と凹部３の組み合わせをそれぞれ設けても良く、その他の構成でも良い。
【００４０】
本発明の椅子の背もたれ取付構造では、座４の陰に隠すことができない背フレーム１の立ち上がり部１ａを背もたれ２自体で隠すことができるので、カバー等を使用せずに背フレーム１の目立つ部分を隠すことができる。また、背フレーム１の目立つ部分を隠すことができるので、背フレーム１として外観に劣る安価なフレームの使用が可能になる。これらの結果、製造コストを増加させることなく椅子の外観を良くすることができる。さらに、カバーを必要としないので、椅子の重量化を防止することもできる。また、背フレームを積極的に見せるものとする場合には背フレームを目立たせるために総じて大きなものとなってしまうのに対し、本発明では背フレーム１を積極的に見せるようにしないので、背フレーム１として小型のものを使用することが可能であり、重量化するのを防止することができる。
【００４１】
本実施形態では、背フレーム１の立ち上がり部１ａを、板状の背フレーム１の後部を上方に折り曲げて形成しているので、背フレーム１の最も後ろの部分を背もたれ２で隠すことができる。そのため、背フレーム１が椅子の外観により現れ難くなり、椅子の外観をより一層良くすることができる。ただし、立ち上がり部１ａが背フレーム１の最も後ろの部分でなくても良いことは勿論である。
【００４２】
なお、上述の形態は本発明の好適な形態の一例ではあるがこれに限定されるものではなく本発明の要旨を逸脱しない範囲において種々変形実施可能である。
【００４３】
例えば、上述の説明では、背もたれ２は背枠７に張り地としてのメッシュ地をテンションを掛けた状態で張り渡した構成であったが、これに限られない。例えば、背板にクッションを重ねて張り地としての表皮部材で覆った構成の背もたれ２でも良く、その他の構成の背もたれ２でも良い。要するに、凹部３と庇部２ｂを設けることができる背もたれ２であれば良い。
【００４４】
また、上述の説明では、庇部２ｂの下側に張り地の取付部１０を設けていたが、背もたれ２が張り地を有していない場合や、別の位置に張り地の縁を取り付ける場合等には、取付部１０を設けなくても良い。
【００４５】
また、上述の説明では、庇部２ｂの下側にリブ１１を設けていたが、剛性を確保できる場合等にはリブ１１を設けなくても良い。
【００４６】
また、上述の説明では、背もたれ２に突っ張り部１２を設けていたが、突っ張り部１２を設けなくても良い。
【符号の説明】
【００４７】
１  背フレーム
１ａ  立ち上がり部
１ｂ  受け部
２  背もたれ
２ａ  背もたれの底部
２ｂ  庇部
３  凹部
３ａ  凹部の内壁前面
１０  庇部の下側の張り地の取付部
１１  庇部の下側のリブ
１２  突っ張り部
【図１】
0006001895.tif 000002
【図２】
0006001895.tif 000003
【図３】
0006001895.tif 000004
【図４】
0006001895.tif 000005
【図５】
0006001895.tif 000006
【図６】
0006001895.tif 000007
【図７】
0006001895.tif 000008